(57)【要約】　　　（修正有）【課題】目的の物品を取り出したり、物品を取り出し易く、整理し、収納する機能を有するリュックサックを提供する。【解決手段】布地の前面と後面に、任意形状で、任意数のポケットを設けて、布地の両側端に取り付けたファスナーにより，布地を袋状になるように連結し、これに、締め紐、フード及び負い紐を付けて構成する。【選択図】　図１
0003098879.tif 000002
【実用新案登録請求の範囲】
【請求項１】
長方形の布体（１）の前面（２）と、後面（３）に、任意形状で、任意数のポケット（４）を設け、布体の両側端（６）の、それぞれに、ファスナーの歯（７）を植え込んだテープ（８）を取り付け、このファスナー（５）の、両方のテープの歯を挟み込んで、把手の付いた摺動締め具（９）が、移動自在に取り付けられ、これによって、布体の両側端（６）が、連結され、又は、開放されることが可能となり、布体（１）の前面（２）は、布体（１）が連結されたとき、布体の内側（７）に入り、この布体（１）の前面（２）に設けたポケット（４）には、粘着テープ（１１）を取り付けるとともに、この布体（１）の上辺の縁（１２）に沿って、任意間隔で設けた、任意数の紐通し環（１３）に、紐（１４）が通され、布体の上部（１５）にフード（１６）が設けられ、かつ、布体の上部（１５）と下部（１７）とを渡して、負い紐（１８）が取り付けられていることを特徴とするリュックサック。
【請求項２】
長辺（１９）を縦長にした長方形の布体の上部（２０）を、短辺（２１）に平行に，布体の前面に向って折り曲げ、この折り曲げた部分（２２）から、布体の上部の短辺（２１）までの間で、布体の上部を折り返して、反転（２３）させ、布体の上部の短辺の線（２４）が、布体の上部での最初の折り曲げた部分（２２）を超えて、布体の上方に向って位置するように形成し、次に、この長方形の布体の下部（２５）を、短辺（２６）に平行に、布体の前面に向って折り曲げ、この折り曲げた部分（２７）から、布体の下部の短辺（２６）までの間で、布体の下部を折り返して、反転（２８）させ、布体の下部の短辺の線（２９）が、布体の下部での最初に折り曲げた部分（２７）を超えて、布体の下方に向って位置するよう形成し、この反転（２８）した折り返し点で、布体を折り重ねたまま、再び、反転（３０）して、布体の上方に向って折り曲げて、既に、布体の上部で折り重ねられている部分に、上から、重ねて折り重ねる、これらの、それぞれの折り重ねた部分には、任意の間隔を置いて、任意数の縦の縫い目（３１）を付けて、任意数のポケット（４）を形成し、布体の長方形の両側端（６）の辺（３２）には、折り重ねた部分も含めて、それぞれに、ファスナーの歯（７）を植え込んだテープ（８）を取り付け、この両方のファスナーのテープの歯を挟み込んで、把手の付いた摺動締め具（９）が、移動自在に取り付けられ、これによって、布体の両側端（６）が、連結され、又は、開放されることが可能となり、布体（１）の前面（２）は、布体（１）が連結されたとき、内側に入り、この前面（２）に設けたポケット（４）には、粘着テープ（１１）を取り付けるとともに、この布体の上辺の縁（１２）に沿って、任意間隔で設けた、任意数の紐通し環（１３）に、紐（１４）が通され、布体の上部（１５）にフード（１６）が設けられ、かつ、布体の上部（１５）と下部（１７）とを渡して、負い紐（１８）が取り付けられていることを特徴とするリュックサック。
【考案の詳細な説明】
【０００１】
【考案の属する技術分野】
この考案は、ファスナーを設けることにより、これを開けたり、締めたりすることにより、リュックサックを袋状にしたり、解いて広げることができ、かつ、リュックサックの前面及び後面に、任意形状で、任意数のポケットが設けられているリュックサックに関する。
【０００２】
【従来の技術】
これまで、リュックサックは、その袋状の上部の袋口から、もっぱら、物の出し、入れがなされ、これが主な収納場所となっており、ポケットは、袋の外側に付属的に２箇所位に取り付けられ、これを負い紐で背負うものがあった。
【０００３】
【考案が解決しようとする課題】
従来のリュックサックは、主な収納場所が一つの袋状で、この袋の一つの口から物を押し込むため、物の取り出しには、他の物を取り除かなければ、目的の物を取り出せなかった。また、分別して、収納や整理するなどは不可能であった。この考案によるリュックサックは、これらの点に鑑み、布地の前面と、後面の両方に、任意形状で、任意数のポケットを設けて、この布地の両側端に設けたファスナーにより、リュックサックを形成する布体の両側端を、連結できる構成とし、必要な物品が分別されて、収納、整理ができ、収納物を見付け易くて、物の取り出しが簡単であり、リュックサック自体も、簡単に折り畳んで、持ち歩き、或いは、保管できるというリュックサックを、提供しようとするものである。
【０００４】
【課題を解決するための手段】
この考案によるリュックサックは、長方形の布体の前面と後面に、任意形状で、任意数のポケットを設け、この長方形の布体の両側端の、それぞれに、ファスナーの歯を植え込んだテープを取り付け、この両方のファスナーのテープの歯を挟み込んで、把手の付いた摺動締め具が、自在にファスナーの上を移動できるように、取り付けられている。
この布体は、ファスナーによって、その両側端が連結され、又は、開放される。
この布体の前面は、布体が連結されると、布体の内側に入り、この布体の前面に設けられいるポケットには、粘着テープが取り付けられている。
この布体の上辺の縁に沿って、任意間隔で設けた，任意数の紐通し環に、紐が通されている。
布体の上部には、フードが取り付けられている。
布体の上部から下部に渡して、負い紐が取り付けられている。
この考案の目的達成するための手段の一つとして、請求項２に記載するものがある。
これは、１枚の長方形の布体を縦長に用いて、これを長方形の布体の上部（２０）と下部（２５）の、それぞれで、長方形の布体の上部（２０）においては、布体の上部（１５）で、布体の前面に向って折り曲げ、この折り曲げた布体を、折り曲げた部分（２２）から、布体の上部の短辺（２１）までの間で、反転（２３）して、折り曲げて、上部の短辺の線（２４）が、上部での最初の折り曲げ部分（２２）を超えて位置するところで、上方に向って、折り返して折り重ね、次に、長方形の布体の下部（２５）においては、布体を、布体の前面に向って折り曲げ、この折り曲げた部分（２７）から、布体の下部の短辺までの間で、反転（２８）して、折り曲げて、下部の短辺の線（２９）が、下部での最初の折り曲げ部分（２７）を、超えて位置するところで、下方に向って、折り返して折り重ね、これを折り重ねたまま、再び、反転して（３０）、布体の上方に向って、折り返して、既に、布体の上部で、折り重ねられている部分の上に、下部での折り重ねた部分を重ねる。
これら折り重ねられた部分には、縦に任意の間隔で、任意数の縫い目（３１）を付けて、任意数のポケット（４）を形成し、次に、布体の長方形の両側端（６）の辺（３２）には、折り重ねた部分も含めて、それぞれに、ファスナーの歯（７）を植え込んだテープ（８）を取り付けて、この両方のファスナーのテープの歯を挟み込んで、把手の付いた摺動締め具（９）が、自在に移動できるように、取り付けられていて、これによって、布体の両側端（６）が連結されたり、又は、開放されたりすることができるようになっている。
布体の前面は、布体が、連結されたとき、囲われて、布体の内側に入る。
この前面（２）のポケット（４）には、粘着テープ（１１）を取り付ける。
この布体の上辺の縁（１２）に沿って、任意の間隔で設けた、任意数の紐通し環（１３）に、紐（１４）が通されている。
布体の上部に、フード（１６）が設けられている。
また、布体の上部（１５）と下部（１７）とを渡して、負い紐（１８）が、布体に取り付けられている。
以上のような構成のリュックサックである。
【０００５】
【この考案の実施の形態】
この考案によるリュックサックの、実施の形態の一つについて説明する。
この考案によるリュックサックは、長方形の布体の前面と後面に，任意形状のポケットを、任意数取り付ける。
ポケットの出入り口には、必要に応じて、ファスナーや粘着テープを付けることもできる。
布体が連結されると内側に囲い込まれることになる、布体の前面に設けられたポケットには、ポケットの外側の部分に粘着テープが取り付けられている。
布体の両側端には、それぞれ、ファスナーの一方の歯を植え込んだテープを取り付ける。
このファスナーは、把手の付いた摺動締め具によって、両方のファスナーのテープに植え込んだ歯を挟み込んで、この摺動締め具が、ファスナーの上を自在に移動して、ファスナーを締めたり、開放したりする。
このファスナーを閉めると、布体は、ファスナーの部分で連結され、袋体となり、布体の前面のポケットは、袋体の内側に、また、布体の後面のポケットは袋体の外側に形成される。
布体の上辺の縁には、紐通し環が、任意間隔で、任意数、取り付けられていて、これに紐が通され、この紐を引き締めると、布体は、リュックサックの形態となる。
布体の上部にフードが付けられている。
布体の上部と下部とを渡して、負い紐が取り付けられている。
このリュックサックには、ポケットが多数、設けられているため、物品を種類別、目的別に分別して、整理、収納することができる。
また、取りだしも、簡単である。
ポケットの出入り口は、適宜に、ファスナーや、粘着テープが取り付けられた場合は、ポケットの中の物が、落ちこぼれることなく、収納することができる。フードが取り付けられているので、災害の時、雨天、耐寒用に、活用することができる。
【０００６】
この考案によるリュックサックの布体、負い紐、通し紐などの材料は、薄くて軽く強靭な天然繊維、合成繊維、或いは、これらの混紡の繊維で、これに防水加工が施され、かつ、撥水効果を高めたものが用いられる。
この考案によるリュックサックを使用するときは、布体の上方の縁に設けられている紐通し環に、紐を緩めて、ファスナーの締め付けを解いて布体を開放して広げ、布体の表面及び裏面に設けられている、それぞれのポケットに、物品を収納する。
次に、布体の両側端を抓み合わせて、ファスナーを締め付けて連結し、布体の上方の通し紐を引き締めて、袋状とし、これによって、リュックサックが、形成され、これを負い紐によって、背負う。
この布体の前面は、布体が連結されるとき、布体に囲われて、内側に入るが、この前面に設けたポケットには、その表面に、それぞれ、粘着テープが取り付けられているので、相対する位置にあるポケットを吸着させることによって、ポケットとポケットの間にある隙間が塞がれる。
【０００７】
リュックサックとしての使用は、以上のとおりであるが、一方、布体の上方の紐を緩め、ファスナーの締め付けを解いて、布体を横に広げると、横長の壁掛け風の、小物の収納容器となり、これを紐通し環で、壁などに吊り提げて使用することもできる。
【０００８】
この考案によるリュックサックは、物品を収納してないときは、小さく折り畳んで、場所を取らない保管、或いは、持ち歩きにも便利である。
【０００９】
【考案の効果】
この考案には、次のような効果がある。
（あ）　ポケットは、任意の形状で任意数を、取り付けることができるので、物品を種類、大小により、目的別に分別して、収納できる。このため、緊急な時、災害の時などのほか、幼児用、障害者用、介護用など、その用途は広い。
（い）　リュックサックは、開放して横に広げることができるので、収納物を整理し易く、見易くて、取り出し易い。このため緊急の場合に役立つ。
（う）　小さく折り畳めるので、保管や持ち歩きに便利であり、防水加工が施されたものは、丸洗いができて便利である。
（え）　布体を折り畳んで作られたリュックサックは、ポケットの底部に縫い目がないため、ほつれることがないので、重量に耐えられ丈夫である。
（お）　開放して、広げたまま使用すれば、壁掛け、小物入れとなる。
（か）　フードは、このリュックサックの蓋としても使用することができ、また、寝袋などを収納することもできる。
（き）　フードは、頭部を保護する効果がある。
（く）　負い紐は、長いものを、通常は、粘着テープなどで止めておき、必要に応じて、長く伸ばして、腹の前で縛って、リュックサックを安定させる。
（け）　このリュックサックは、前後に関係なく背負うことができるので、緊急時の素早い装着に便利である。
【図面の簡単な説明】
【図１】この考案によるリュックサックを着用したときの斜視図である。
【図２】この考案によるリュックサックを開放したときの布体の前面を示す図である。
【図３】この考案によるリュックサックを開放したときの布体の後面を示す図である。
【図４】請求項２に記載するリュックサックの布体を折り重ねる過程を示す図である。
【図５】請求項２に記載するリュックサックの布体を折り重ねたのち布体の（ａ）前面と（ｂ）後面に付けられた縫い目を示す図である。
【図６】請求項２に記載するリュックサックの布体を折り重ねたものの側面からの断面を示す図である。
【符号の説明】
１　　布体
２　　前面
３　　後面
４　　ポケット
５　　ファスナー
６　　布体の両側端
７　　ファスナーの歯
８　　ファスナーのテープ
９　　把手の付いた摺動締め具
１０　布体の内側
１１　粘着テープ
１２　上辺の縁
１３　紐通し環
１４　紐
１５　布体の上部
１６　フード
１７　布体の下部
１８　負い紐
１９　長辺
２０　長方形の布体の上部
２１　短辺
２２　折り曲げた部分
２３　反転
２４　布体の上部の短辺の線
２５　長方形の布体の下部
２６　短辺
２７　折り曲げた部分
２８　反転
２９　布体の下部の短辺の線
３０　再び、反転して
３１　縫い目
３２　布体の両側端の辺
【図１】
0003098879.tif 000003
【図２】
0003098879.tif 000004
【図３】
0003098879.tif 000005
【図４】
0003098879.tif 000006
【図５】
0003098879.tif 000007
【図６】
0003098879.tif 000008
【手続補正書】
【提出日】平成15年8月21日(2003.8.21)
【手続補正１】
【補正対象書類名】明細書
【補正対象項目名】図面の簡単な説明
【補正方法】変更
【補正の内容】
【図面の簡単な説明】
【図１】この考案によるリュックサックを着用したときの斜視図である。
【図２】この考案によるリュックサックを開放したときの布体の前面を示す図である。
【図３】この考案によるリュックサックを開放したてきの布体の後面を示す図である。
【図４（ａ）】請求項２に記載するリュックサックの布体を折り重ねる過程を示す図である。
【図４（ｂ）】請求項２に記載するリュックサックの布体を折り重ねる過程を示す図である。
【図４（ｃ）】請求項２に記載するリュックサックの布体を折り重ねる過程を示す図である。
【図４（ｄ）】請求項２に記載するリュックサックの布体を折り重ねる過程を示す図である。
【図４（ｅ）】請求項２に記載するリュックサックの布体を折り重ねる過程を示す図である。
【図４（ｆ）】請求項２に記載するリュックサックの布体を折り重ねる過程を示す図である。
【図５】請求項２に記載するリュックサックの布体を折り重ねたのち布体の前面（ａ）と後面（ｂ）に付けられた縫い目を示す図である。
【図６】請求項２に記載するリュックサックの布体を折り重ねたものの側面からの断面を示す図である。
【符号の説明】
１　　布体
２　　前面
３　　後面
４　　ポケット
５　　ファスナー
６　　布体の両側端
７　　ファスナーの歯
８　　ファスナーのテープ
９　　把手の付いた摺動締め具
１０　布体の内側
１１　粘着テープ
１２　上辺の縁
１３　紐通し環
１４　紐
１５　布体の上部
１６　フード
１７　布体の下部
１８　負い紐
１９　長辺
２０　長方形の布体の上部
２１　短辺
２２　折り曲げた部分
２３　反転
２４　布体の上部の短辺の線
２５　長方形の布体の下部
２６　短辺
２７　折り曲げた部分
２８　反転
２９　布体の下部の短辺の線
３０　再び、反転して
３１　縫い目
３２　布体の両側端の辺


【手続補正２】
【補正対象書類名】図面
【補正対象項目名】全図
【補正方法】変更
【補正の内容】
【図１】
0003098879.tif 000009
【図２】
0003098879.tif 000010
【図３】
0003098879.tif 000011
【図４（ａ）】
0003098879.tif 000012
【図４（ｂ）】
0003098879.tif 000013
【図４（ｃ）】
0003098879.tif 000014
【図４（ｄ）】
0003098879.tif 000015
【図４（ｅ）】
0003098879.tif 000016
【図４（ｆ）】
0003098879.tif 000017
【図５】
0003098879.tif 000018
【図６】
0003098879.tif 000019